(57)【特許請求の範囲】
【請求項１】
長方形の天板（１）の下面に同一形状の長方形の人工芝（２）の基布側を貼り付けて削り具（９）とし、その削り具（９）の中央部及び短辺側側面近傍に上下に貫通する複数の穴（４，４・・・）を設け、その穴（４，４・・・）の一つに地面に立設した杭（５）を嵌合させたことを特徴とするグランド整備具。
【請求項２】
請求項１記載の削り具（９）の周辺側面に複数の円形金具（６、６・・・）を取り付け、その円形金具（６、６・・・）の一つに杭（５）を嵌合させたことを特徴とするグランド整備具。
【請求項３】
長方形の人工芝（２）の両短辺側側面近傍を残し、その人工芝（２）の長辺と平行にして少なくとも一箇所を長方形か或いは台形に切り抜いて溝を設けて溝付人工芝（８）とし、その溝付人口芝（８）の基布側に長方形の略同一寸法の天板（１）を貼り付け、その天板（１）の上面に重り板（３）を設けたことを特徴とするグランド整備具。
【請求項４】
長方形の人工芝（２）の両短辺側側面近傍を残し、その人工芝（２）の長辺と平行にして少なくとも一箇所を長方形か或いは台形に切り抜いて溝を設けて溝付人工芝（８）とし、その溝付人工芝（８）の基布側にその溝付人工芝（８）と同形の溝状に切り抜いた溝付天板（７）を貼り付けたことを特徴とするグランド整備具。
【請求項５】
請求項４記載の溝付天板（７）の上面に長方形の略同一寸法の重り板（３）を取り付けたことを特徴とするグランド整備具。
【発明の詳細な説明】
【技術分野】
【０００１】
本発明は、グランド、テニスコート、野球場などの地面上に出来た窪んだ場所、盛り上がった場所、荒れた場所などを水平に削り均すことと、地面上の小石、ゴミ、落ち葉などを掃除して整備する方法に関するものである。
【背景技術】
【０００２】
従来、野球場、広いグランド、テニスコート等の地面を整備する方法としては、木製、鉄製、アルミ製などのグランドレーキ（砂ならし）やコートブラシなどで、擦らして引っ張りながら均す方法やその整備具で地面上を前後動させて削って均す方法が取られている。これは荒れた地面を均し盛り上がった土砂を窪んだ場所に移し平坦にするだけの作業である。地面は乾燥した硬い状態や雨の後の軟らかい状態など様々であり、面積も広く丁寧にしなければならないので、以外と時間を要する作業である。競技はこれらの整備作業後に行われ、競技の途中に荒れた場所を短時間で整備しなければならない場合もある。そして常にグランドは自然の影響により小石、ゴミ、落ち葉などが入り込んで来るので掃除をしなければならない。また地面に白いテープを釘で止めた白線を使用しているテニスコートや小学校の運動場ではグランド整備を難しくしている。出願人は先に特願２００１−２４８６５８号では、前方に取り付けた掬い板で土砂を掬い上げ、後方の網によって小石、ゴミを濾すことの出来るグランド濾し具と特願２００２−００３３１０号で、レーキの前方部にローラーを取り付け、レーキで削り均した後をローラーの重量を利用した回転によって地面を削りながら圧し均す方法とを提案している。
【特許文献１】特願２００１−２４８６５８号
【特許文献２】特願２００２−００３３１０号
【発明の開示】
【発明が解決しようとする課題】
【０００３】
競技の前後には必ず荒れた地面の整備作業をする必要がある。それは小石、ゴミ、落ち葉の掃除とグランドの広範囲にわたる地面の盛り上がりや窪みを平坦に均すことによって、その競技を終始安全に行うことが出来るようにする為である。整備が不十分な場合は競技中にボールの方向を変えたり、競技者の足を滑らせたり、競技中の選手や試合に大きな影響を与える場合がある。グランド整備に使用するコートブラシは細長い角材の下面に毛を植え込んだブラシであり、地面には強くあたらずに撫でるようにして均すだけのものである。また、グランドレーキも木・鉄・アルミなどで作られたアングルや長方形の板をある角度で引っ張ることによって地面上を削って均すもので、荒れた場所や固い地面を平坦にするには、その場所で前後動をする回数を多くしなければならない。そして人の力で作業するため整備具の横幅は狭いものになる。
【０００４】
本発明は、上述の点に鑑みて、限定された地面も広範囲の地面も短時間に効率よく小石、ゴミ、落ち葉の掃除をしながら同時にグランド整備が出来るようにすることを課題としたものである。
【課題を解決するための手段】
【０００５】
そこで、本発明の請求項１のグランド整備具は、（以下、本発明１と言う）長方形の天板１の下面に同一形状の長方形の人工芝２の基布側を貼り付けて削り具９とし、その削り具９の中央部及び短辺側側面近傍に上下に貫通する複数の穴４，４・・・を設け、その穴４，４・・・の一つに地面に立設した杭５を嵌合させたことを特徴とするグランド整備具。
【０００６】
かかる構成により、本発明１はグランド整備具の本体上の穴４に杭５を入れ、その杭５を地面に固定して立て、その杭５を中心軸にして、グランド整備具本体に取り付けたロープやパイプを人、自転車、バイク、自動車で引っ張りながら杭５の周辺を回転させることにより、天板１の下面に貼り付けた人工芝２の接地面の円形の範囲を削り均して地面を水平に整備することが出来るものである。
【０００７】
本発明の請求項２記載のグランド整備具は（以下、本発明２と言う）請求項１記載の削り具９の周辺側面に複数の円形金具６、６・・・を取り付け、その円形金具６、６・・・の一つに杭５を嵌合させたことを特徴としている。
【０００８】
かかる構成により、本発明２はグランド整備具本体の外周側面に取り付けた円形金具６の中に杭５を入れ、本発明１と同様にして、天板１の下面に貼り付けた人工芝２の接地面を削り均して円形の地面の範囲を水平に整備することが出来るものである。
【０００９】
本発明の請求項３記載のグランド整備具（以下、本発明３と言う）は、長方形の人工芝２の両短辺側側面近傍を残し、その人工芝２の長辺と平行にして少なくとも一箇所を長方形か或いは台形に切り抜いて溝を設けて溝付人工芝８とし、その溝付人口芝８の基布側に長方形の略同一寸法の天板１を貼り付け、その天板（１）の上面に重り板（３）を設けたことを特徴としている。
【００１０】
かかる構成により、本発明３にロープやパイプを取り付けて人、自転車、バイク、自動車で引っ張った場合、天板１の下面の溝付人工芝８を切り抜いた範囲に土砂が溜まり、引き摺っている間にその中に比較的小さい小石、ゴミを残して掃除をしながら、後方の人工芝の葉によって地面を均すことが出来るものである。
【００１１】
本発明の請求項４記載のグランド整備具（以下、本発明４と言う）は、長方形の人工芝２の両短辺側側面近傍を残し、その人工芝２の長辺と平行にして少なくとも一箇所を長方形か或いは台形に切り抜いて溝を設けて溝付人工芝８とし、その溝付人工芝８の基布側にその溝付人工芝８と同形の溝状に切り抜いた溝付天板７を貼り付けたことを特徴としている。
【００１２】
かかる構成により、本発明４にロープやパイプを取り付けて人、自転車、バイク、自動車で引っ張った場合、溝付天板７と溝付人工芝８を切り抜いた範囲に土砂が溜まり、引き摺っている間にその中に比較的小さい小石、ゴミを残して掃除をしながら、後方の人工芝の葉によって地面を均すことが出来るものである。
【００１３】
本発明の請求項５記載のグランド整備具（以下、本発明５と言う）は、請求項４記載の溝付天板７の上面に長方形の略同一寸法の重り板３を取り付けたことを特徴とするグランド整備具。
【００１４】
かかる構成により、本発明５にロープやパイプを取り付けて人、自転車、バイク、自動車で引っ張った場合、溝付天板７上の重り板３の重量が溝付人工芝８に加わり地面を削るので、引き摺っている間に溝付人工芝８を切り抜いた範囲に多くの土砂が溜まり、取り除く小石、ゴミ、枯葉の量を増やすことが出来る、そして後方の人工芝の葉によって地面を削り均すことが出来るものである。
【発明の効果】
【００１５】
本発明１によれば、天板１上の中央部に設けた穴４の中に杭５を立て、その杭５を中心軸にして、天板１の側面部に取り付けたロープやパイプを人、自転車、バイク、自動車を使用してグランド整備具の本体を引っ張りながら杭５の周りを回転させた場合、グランド整備具本体の長さの直径の円形の地面を水平に削り均すことが出来る。又グランド整備具本体の一方側面部近傍に設けた穴４の中に杭５を立て回転させた場合は、グランド整備具本体の長さを半径とした円形の地面を水平に均すことが出来るものである。
【００１６】
本発明２によれば、本発明１に設けた穴４の代わりに、グランド整備具本体の側面部に円形金具６を取り付け、その中に杭５を立てその杭５を中心軸にしてグランド整備具本体を回転させることによって、本発明１と同様に限定された円形の地面を水平に削り均すことが出来るものである。  
【００１７】
本発明３によれば、比較的地面に砂の量が少ないグランドにおいて、このグランド整備具本体に取り付けたロープやパイプを人、自転車で引っ張った場合、前方の人工芝の葉によって削られて盛り上がった土砂は、溝付人工芝８の上面に貼り付けた天板１によって抑えられ、横方向に広がりつつ凹んだ範囲に土砂、小石、ゴミを溜めることが出来る。そして小石、ゴミを残して細かい土砂、小石は徐々に人工芝の葉の下に入り、後方の密集している人工芝の葉によって地面との接地面を均一に削り均すことが出来るものである。
【００１８】
本発明４によれば、このグランド整備具本体に取り付けたロープやパイプを人、自転車、バイクで引っ張った場合、前方の人工芝の葉で削られて盛り上がった土砂は、横方向に広がりつつ溝付人工芝８の上面に貼り付けた溝付天板７の上部まで土砂、小石、ゴミを溜めることが出来る。そして小石、ゴミを残して細かい土砂、小石は徐々に人工芝の葉の下に入り、後方の密集している人工芝の葉によって地面との接地面を均一に削り均すことが出来るものである。
【００１９】
本発明５によれば、このグランド整備具本体に取り付けたロープやパイプを人、自転車、バイク、自動車で引っ張った場合、溝付天板７上に重り板３を取り付けることにより、重り板３の重量が溝付人工芝８全体に加わり、地面を深く削り多くの土砂、小石、ゴミを溝付人工芝８の溝の前面に溜めることが出来るので、溝付人工芝８の切り抜き箇所を複数設けることによって、比較的小さい小石、ゴミまでも取り除きながら地面を削り均す事が出来るものである。
【発明を実施するための最良の形態】
【００２０】
長方形の人工芝２の両短辺側側面近傍を残し、長方形か、或いは台形に切り抜きいた溝付人工芝８の上面にその溝付人工芝８と同形に切り抜いた溝付天板７を貼り付け、その溝付天板７の上面に長方形の略同一寸法の重り板３を配設し、グランド整備具の本体の中央部及び短辺側側面近傍に上下に貫通する複数の穴４，４・・・か、或いは本体の周辺に複数の円形金具６，６・・・設けたことである。
【実施例１】
【００２１】
実施の形態の一例として、図１は本発明１の説明図である。長方形の人工芝２を下面に貼り付けた天板１に重り板３を取り付けるか或いは取り付けない構成の削り具９の中央部及び短辺側側面近傍に上下に貫通する複数の穴４，４・・・を設け、その穴４，４・・・に杭５を嵌合させたことで構成されている。
【００２２】
実施の形態の一例として、図１は本発明１の説明図である。長方形の天板１の下面に同一形状の長方形の人工芝２の基布側を貼り付けて削り具９とし、その削り具９の中央部及び短辺側側面近傍に上下に貫通する複数の穴４，４・・・を設け、その穴４，４・・・の一つに地面に立設した杭５を嵌合させたことで構成されている。
【００２３】
本発明１の杭５の使用方法として、杭５を金槌で打ち込んで固定した場合は一人で作業をすることが出来るが、人が杭５を持って立った場合はグランド整備具本体を跨ぐか、回転に合わせて回り続ける必要がある。別の使用法としてグランド整備具本体と杭５の間にロープを介して結び付け、その杭５を中心軸にして杭５の回りを回転させることで、ロープの長さの半径の円の外側周辺をグランド整備具本体の全長の範囲だけドーナツ状に削り均すことが出来る。また複数の杭５を立て、その中の一本の杭５にロープを結び付けて使用した場合は、一回転する度にロープはその杭５に巻かれて短くなるので、徐々に中心部へとグランド整備具が引き寄せられ広い円形の地面の範囲を均していくことが出来る。ロープには回転を続けても捩れ過ぎないようにステンスイベルを取り付ければ良い。この作業を繰り返し行うことで、本発明１は地面の限られた円形の範囲を集中して水平に削り均すことが出来るものである。
【００２４】
重り板３を取り付けてない天板１の上面に人工芝２を貼り付けた場合は、上下２枚の人工芝２を乾燥した地面用と水分を含んだ地面用に使い分けることが出来る。重り板３を取り付けたグランド整備具は天板１に貼り付けてある人工芝２が磨耗した時には、重り板３から削り具９を取り外して交換することが出来る。
【００２５】
実施の形態の一例として、杭５の長さは６５ｃｍ、直径１３ｍｍで鉄製のものを使用している。天板１上に設けた穴４の大きさは１８ｍｍであり、天板１は横幅２ｍ、奥行き２４ｃｍ、厚み３ｃｍの木材を使用しているが、倉敷化工のエコターフのように天板１の材質として再生ゴムチップでも良く、また合成樹脂を使用することも出来る。人工芝２は三菱化学の目土擦り込みアストロターフスペシャル直毛の、パイルの長さ２２ｍｍ、材質はポリエチレンを使用し、上面にはポリエステルクリム、ポリエステル不織布が貼り付けてあるので、天板１には接着剤やステップルで容易に貼り付けることが出来る。
【実施例２】
【００２６】
実施の形態の一例として、図２は本発明２の説明図である。請求項１記載の削り具９の周辺側面に複数の円形金具６、６・・・を取り付け、その円形金具６、６・・・の一つに杭５を嵌合させたことで構成されている。
【００２７】
本発明２は本発明１に設けた穴４の代わりに、グランド整備具本体の外周側面に取り付けた円形金具６の中に杭５を入れ、本発明１と同様にして、天板１の下面に貼り付けた人工芝２の接地面を削り均して地面を水平にすることが出来るものである。円形金具６の取り付け位置が中央部の場合は、どちらに回転させても同じ効果を発揮することが出来るが、円形金具６が前方側の短辺側側面の位置にある場合は、右回りに回転させた方が、削られた土砂の動きが自然に中心部に向かうようになる。
【００２８】
円形金具６の材質は鉄、ステンレスの８ｍｍのシャフトを円形にして天板１の側面にねじ釘で取り付けるか、或いは重り板３に溶接すれば良い。また、円形金具６の代わりに長方形の鉄板に円形をくり抜いたものを使用しても同じことである。本発明１，２の削り具９にロープ、パイプ、握り棒を取り付け真直ぐに引っ張って使用することも出来る。
【実施例３】
【００２９】
実施の形態の一例として、図３は本発明３の説明図である。長方形の人工芝２の両短辺側側面近傍を残し、その人工芝２の長辺と平行にして少なくとも一箇所を長方形か、或いは台形に切り抜いた溝付人工芝８の上面に長方形の略同一寸法の天板１を貼り付けたことで構成されている。
【００３０】
実施の形態の一例として、図３は本発明３の説明図である。長方形の人工芝２の両短辺側側面近傍を残し、その人工芝２の長辺と平行にして少なくとも一箇所を長方形か或いは台形に切り抜いて溝を設けて溝付人工芝８とし、その溝付人口芝８の基布側に長方形の略同一寸法の天板１を貼り付け、その天板（１）の上面に重り板（３）を設けたことで構成されている。
【００３１】
本発明３を使用して地面が平坦かそうでないかを見極める方法は、本発明３を引っ張って窪みを通り過ぎた場合に、地面に少しの窪みがあるとそれまで溜まっていた小石、ゴミがその窪みに入ってしまうので、簡単に見つけることが出来る。綺麗に平坦になっている地面では、溝付人工芝８の切り抜いた溝によって削って溜まった土砂を窪みに巧く埋め続けて均すことが出来る。掃除の能力を向上させるためには、溝付人工芝８の切り抜き箇所を増やすことで溜める範囲を多くするか、天板１の重量を重くするか、或いはその天板１の上に重りを乗せることで、溝付人工芝８を地面に強く押し付けて小石、ゴミが溝付人工芝８の隙間からすり抜けることを防止して小石、ゴミを取り除くことが出来る。また、地面を均す機能に重点を置いた場合は、複数枚本発明３を連結させることによって横幅を広くして複数の人、自転車、バイク、自動車で引っ張って整地することが可能になる。そして本発明１，２を本発明３の本体に設けて使用することも可能である。
【００３２】
実施の形態の一例として、本発明３の天板１は横幅２ｍ、奥行き２４ｃｍ、厚み３ｃｍの木材を使用している。溝付人工芝８は前記している三菱化学の目土擦り込みアストロターフスペシャル直毛を使用し、両短辺側側面から６ｃｍ残して斜め後方に前方長方側側面を５ｃｍ凹ましてある。また中央部の切り抜きの大きさは５ｃｍ×１ｍ８０ｃｍあるので、前面の人工芝の葉によって削り残った土砂を幅広く溜めることが出来る。
【００３３】
実施の形態の一例として、本発明３の使用方法は天板１の前方長辺側側面に２箇所にロープを取り付けるか、或いはU字型のパイプを天板１上か両短辺側側面に取り付けて人、自転車、バイクによって引っ張って使用することが出来る。また本発明３の横幅が１ｍ、奥行き１０ｃｍ、天板１の厚み２ｃｍの小型のタイプは天板１上の中央部に握り棒の先端を取り付けて、その握り棒を押していくか、または引っ張るようにして地面を削り均して整地することが出来る。
【実施例４】
【００３４】
実施の形態の一例として、図４は本発明４の説明図である。請求項３記載の溝付人工芝８の上面に、その溝付人工芝８と同形に切り抜いた溝付天板７を貼り付けたことで構成されている。
【００３５】
実施の形態の一例として、図４は本発明４の説明図である。長方形の人工芝２の両短辺側側面近傍を残し、その人工芝２の長辺と平行にして少なくとも一箇所を長方形か或いは台形に切り抜いて溝を設けて溝付人工芝８とし、その溝付人工芝８の基布側にその溝付人工芝８と同形の溝状に切り抜いた溝付天板７を貼り付けたことで構成されている。
【００３６】
実施の形態の一例として、本発明４の他の使用方法は冬場の凍結した地面の時には溝付天板７上に子供を乗せて引っ張ることが出来る。溝付天板８の上面に乗せる重りの重量を替えることにより溜める土砂と取り除く小石、ゴミの量をコントロールすることも出来る。また溝付天板７の上面に同形の溝付人工芝８を貼り付けた場合は、上下２枚の溝付人工芝８，８を乾燥した地面用と水分を含んだ地面用に使い分けることが出来る。長方形の人工芝２や長方形の天板１も貼り付けたりする事によって地面の整備作業をより丁寧にすることが出来るものである。また溝付人工芝８が磨耗して短くなっても溝付天板７の側面で土砂を溜めて十分削り均すことが出来る。そして本発明１，２を本発明４の本体に設けて使用することも可能である。
【実施例５】
【００３７】
実施の形態の一例として、図５は本発明５の説明図である。請求項３記載の溝付天板７の上面に長方形の略同一寸法の重り板３を取り付けたことで構成されている。
【００３８】
実施の形態の一例として、図５は本発明５の説明図である。請求項４記載の溝付天板７の上面に長方形の略同一寸法の重り板３を取り付けたことを特徴とするグランド整備具。
【００３９】
実施の形態の一例として、本発明５の重り板１は横幅２ｍ、奥行き２４ｃｍ、厚み３．２ｍｍの鉄板の後方長方側から直角に３ｃｍ折り曲げたものをねじ釘で止めてある。そして鉄板の重量は１３．５ｋｇあるので、バイクを低速で走らせると地面に密着して綺麗に削り均すことが出来た。水分を含んだ小石のあるグランドでは溝付人口芝８の隙間に土砂と一緒に小石が詰まり、バイクで走っている時には、その小石による線が出来てしまうので、直ぐに見つけてその小石を取り除くことが出来る。そしてこのように土砂で詰まった芝の状態は溝付人工芝８の磨耗を防ぎ長期間の使用に耐えることが出来る。
【００４０】
実施の形態の一例として、本発明５の本体の中央を半分に切断して、その切断部に兆番を取り付け、半分に折り曲げられる様にすることによってコンパクトになり、収納する時や持ち運ぶ時には非常に便利になる。また、本発明５の本体の長さが２ｍの場合は、両短辺側側面を連結させて使用することで４ｍの長いグランド整備具を製作することも出来る。これをバギーバイクやバギー車で引っ張ることによって地面を幅広く削り均すことが出来るので、簡単に短時間でグランド整備をすることが出来る。そして本発明１，２を設けて杭５を中心軸にして本発明５の本体を回転させた場合、直径８ｍの円形の範囲を水平に削り均すことが出来るものである。
【図面の簡単な説明】
【００４１】
【図１】本発明１の実施の形態の一例を示す斜視図である。
【図２】本発明２の実施の形態の一例を示す斜視図である。
【図３】本発明３の実施の形態の一例を示す斜視図である。
【図４】本発明４の実施の形態の一例を示す斜視図である。
【図５】本発明５の実施の形態の一例を示す斜視図である。
【符号の説明】
【００４２】
１    天板
２    人工芝
３    重り板
４    穴
５    杭
６    円形金具
７    溝付天板
８    溝付人工芝
９    削り具
【要約】
【課題】
限定された地面も広範囲の地面も短時間に効率よく小石、ゴミ、落ち葉の掃除をしながら、同時にグランド整備が出来るようにすることを課題としたものである。
【解決手段】
長方形の天板１の下面に同一形状の長方形の人工芝２の基布側を貼り付けて削り具９とし、その削り具９の中央部及び短辺側側面近傍に上下に貫通する複数の穴４，４・・・を設け、その穴４，４・・・の一つに地面に立設した杭５を嵌合させたことである。 
【選択図】    図１
【図１】
0003639293.tif 000002
【図２】
0003639293.tif 000003
【図３】
0003639293.tif 000004
【図４】
0003639293.tif 000005
【図５】
0003639293.tif 000006